(57)【要約】【課題】エレベータスイッチ等を薄型に構成可能にすると共に、大幅に省金可能にしたスイッチ構造体およびこれを使用する押釦スイッチを提供する。【解決手段】スイッチ駆動部３を操作して可動接片１３Ｃを揺動させることにより電気的に開閉作動される固定接点部１３Ｂ−２を有して構成する場合、可動接片１３Ｃの一端側をプリント基板１２に形成した可動接点パターン１６上に取着することによって可動接片１３Ｃの他端側を揺動可能に構成すると共に、固定接点部１３Ｂ−２が、可動接片１３Ｃの他端側に設けた可動接点に対向するようにプリント基板１２の上に形成した固定接点パターン部１２Ａ上に固定接片を介することなく直接設置しており、固定接点部１３Ｂ−２が原形が球状を呈する接点ボール１７を超音波等により加締め付けることによって固定接点パターン１２Ａ上に設置した。【選択図】図２
2009059661.tif 000002
【特許請求の範囲】
【請求項１】
スイッチ駆動部を操作して可動接片を揺動させることにより電気的に開閉作動される固定接点部を有して構成するスイッチ構造であって、
前記可動接片の一端側をプリント基板に形成した導電パターン上に取着することによって前記可動接片の他端側を揺動可能に構成すると共に、
前記固定接点部は、前記可動接片の他端側に設けた可動接点に対向するように前記導電パターン上に固定接片を介することなく直接設置したことを特徴とするスイッチ構造。
【請求項２】
前記固定接点部は、原形が球状を呈する接点ボールを超音波等により加締め付けることによって前記導電パターン上に設置したことを特徴とするスイッチ構造。
【請求項３】
前記導電パターンは、前記プリント基板上に互いに離間した状態で形成された一対の分割導電パターンであり、該一対の分割導電パターンに架け渡すように前記固定接点部を設置したことを特徴とする請求項２に記載のスイッチ構造。
【請求項４】
前記固定接点部を前記接点ボールを超音波等により加締め付けることによって前記プリント基板上に設置した場合、前記固定接点部により前記プリント基板に固定接点嵌合凹部が形成されることを特徴とする請求項２または請求項３に記載のスイッチ構造。
【請求項５】
請求項１乃至４のいずれか一に記載のスイッチ構造を内蔵スイッチとして用いたことを特徴とする押釦スイッチ。
【発明の詳細な説明】
【技術分野】
【０００１】
本発明は、エレベータスイッチ等の薄型の押釦スイッチに用いられるスイッチ構造およびこのスイッチ構造を用いた押釦スイッチに関するものである。
【背景技術】
【０００２】
従来、この種の押釦スイッチは、例えば、図１０に示すようなものが知られている（例えば、特許文献１〜３参照）。
【特許文献１】特開２００３−２７２４７３号公報。
【特許文献２】特開２００５−１１６７２号公報。
【特許文献３】特開２００５−３５３４７８号公報。
【０００３】
図１０において、押釦スイッチは、ベース１と、ベース１に収容する内蔵スイッチとしてのスイッチ組立体２、ベース１に設けられてスイッチ組立体２を作動するスイッチ駆動部３と、照光部４と押釦部５とを備えて構成している（なお、説明の便宜上、前後方向、左右方向および上下方向を、図示のように設定する）。
【０００４】
ベース１はベース本体１Ｆを有しており、ベース本体１Ｆは、底面部（下面部）１Ａ、前、後面部１Ｂ，１Ｃ、左、右面部１Ｄ、１Ｅを有するボックス形状をしていて、上面が開放している。また、前面部１Ｂにはコネクタ装着用開口部１ａが設けられている。
【０００５】
ベース本体１Ｆの底面部１Ａには、スイッチ設置部７、プリント基板組立体設置部８が前後方向に並べて設けてあり、底面部１Ａおよび左右面部１Ｄ，１Ｅにそれぞれ跨るようにプリント基板組立体設置部８を挟んだ前後に、レバー部材係合部１０と押釦ガイド部１１が設けられている。
【０００６】
スイッチ駆動部３は、ベース１内において上下動可能に収容されるように、全体形状が略矩形状を呈すると共に中央部が開口するスイッチ駆動ベース体３Ｘを有しており、スイッチ駆動ベース体３Ｘにおける中央開口部３Ｘ−１の前後方向に金属片のプレス成形品からなる駆動片３Ａが架け渡すように配設され、駆動片３Ａの中央部には、押釦駆動部３Ｂが揺動可能になるようにレバー片状に形成されている。
【０００７】
更に、駆動片３Ａの前後両端は、金属線材からなる一対のレバー部材３０に引掛け係合されている。
【０００８】
各レバー部材３０は、略コ字形状に形成されていて、両端がスイッチ駆動部３の左右側部に形成したレバー部材設置部３Ｃに係着されていると共に、その中間部がベース１のレバー部材係合部１０に係合して、スイッチ駆動部３に上方への付勢力を付与している。
【０００９】
駆動片３Ａにおける押釦駆動部３Ｂを挟んだ前後方向両側には、スプリング係止部３Ｄがそれぞれ形成され、一対の復帰ばね９の一端側をそれぞれ掛合しており、復帰ばね９の他端はそれぞれレバー部材３０に掛合して、駆動片３Ａを上方に付勢している。
【００１０】
スイッチ組立体２は、図１１および図１２に明確に示すように、略短冊状に形成されたプリント基板１２と、プリント基板１２の略中央部に配設されたスイッチ構造体１３と、照光部４を照光するためにプリント基板１２にスイッチ構造体１３を取囲むように配設された複数のＬＥＤ１４と、プリント基板１２の前端部に配設されたコネクタ１５とを有して構成している。
【００１１】
スイッチ構造体１３は、プリント基板１２に設置されるスイッチベース体１３Ａと、スイッチベース体１３Ａの左右端部にそれぞれ立設した一対の取付け脚部１３Ａ−１に嵌合配設された固定接片１３Ｂおよび可動接片１３Ｃとを有して構成している。
【００１２】
固定接片１３Ｂは、ばね性を有し、取付け脚部１３Ｂ−１をプリント基板１２も固定接点パターン部１２Ａ−１に半田付けすることによって接続し、且つ、一体に形成された固定接点部１３Ｂ−２を有して構成している。
【００１３】
可動接片１３Ｃは、ばね性を有し、一端側が固定接片１３Ｂの固定接点部１３Ｂ−２に対向して重なる状態において、他端側がプリント基板１２の可動接点パターン部１２Ａ−２に半田付けにより接続しており、一端側を揺動させることにより一端側の可動接点部１３Ｃ−１を固定接片１３Ｂの固定接点部１３Ｂ−２に接離可能に配設されている。
【００１４】
スイッチ駆動ベース体３Ｘには、その中央部の開口を取囲むように、略円形の立壁部３Ｆが形成されており、立壁部３Ｆには照光部４の内壁が嵌合している。
【００１５】
押釦部５は、全体形状がベース１の形状に合うように、矩形状を呈して構成しており、その略中央部には、照光部４の外壁が嵌合係合するように照光部取付け立壁５Ａが形成されると共に、前後両端壁部には、それぞれ一対のベース体取付け係合部５Ｂが形成されており、ベース体取付け係合部５Ｂにベース１の前後両壁部に形成した係合爪部１Ｇを係合することにより、照光部４およびスイッチ駆動部３を上側から重合するようにして、ベース１に装着されている。
【００１６】
この時、コネクタ１５は、ベース１のコネクタ装着用開口部１ａに配設されている。
【００１７】
また、スイッチベース体１３Ａ上には、スイッチベースカバー体１３Ｆが固定接片１３Ｂおよび可動接片１３Ｃを覆うように重合した状態で配設されており、スイッチベースカバー体１３Ｆはスイッチベース体１３Ａに形成した取付け脚部１３Ａ−１を使用してスイッチベース体１３に装着されている。
【００１８】
更に、スイッチベースカバー体１３Ｆの左右方向中央部には、帯状に突設した帯状突起１３Ｄが形成されており、帯状突起１３Ｄには、押動小片１３Ｅを上下動可能に係合保持する孔部１３Ｄ−１が形成されている。
【００１９】
押動小片１３Ｅは、照光部４を押すことによってスイッチ駆動部３の押釦駆動部３Ｂが押動した際に連動して、可動接片１３Ｃの可動接点部を固定接片１３Ｂの固定接点部１３Ｂ−２に電気的に接続させることになって、ＬＥＤ１４がして照光部４を照光することになる。照光部４の押動を止めれば、復帰ばね９の復帰力により押動小片１３Ｅは、復帰バネ９の付勢力によって駆動片３Ａと共に持ち上げられて、可動接点部が固定接点部１３Ｂ−２から接離すると共に、レバー部材３０の付勢力により、スイッチ駆動部３を照光部４と共に持ち上げて、元の位置に復帰することになる。
【発明の開示】
【発明が解決しようとする課題】
【００２０】
上記したように構成する従来の押釦スイッチにおけるスイッチ組立体２を構成するスイッチ駆動部３は、可動接片１３Ｃとプリント基板１２側の固定接点パターン部１２Ａとの間に、固定接片１３Ｂが介在して、押釦スイッチの接点切離動作を行うようになっていたため、固定接片１３Ｂの存在によりあるいは固定接片１３Ｂを可動接片１３Ｃと共に取付け設置するためのスイッチベース体１３Ａおよびスイッチベースカバー体を共に用いることになって、その分、押釦スイッチの上下方向厚さを厚くしてしまい、エレベータスイッチ等の押釦スイッチを充分薄型化することができなかった。
【００２１】
また、上記した固定接片１３Ｂは、可動接片１３Ｃと同様に、これを製作するには、通常、図１３に示すように、帯状の板状素材１３−１を予め用意しておき、プレス成形等により切断成形することにより、複数個取りして形成している。
【００２２】
そして、このように複数個取りにより形成された各固定接片１３には、その固定接点部１３ｂ−２に金メッキを施さなければならないことから、板状素材１３−１に予め金メッキ部１３−１ａをも施す必要があり、当該固定接点部１３Ｂ−２を、可動接片１３Ｃの可動接点部１３ｃ−１およびプリント基板１２の固定接点パターン部１２Ａに確実に対向させるために、金メッキ部１３−１ａは板状素材１３−１の全長に亘るように形成しておく必要があり、金メッキ量がどうしても多くなってしまう。
【００２３】
そこで、本発明は、押釦スイッチを薄型可能にすると共に、大幅に省金可能に構成したスイッチ構造体およびこれを使用する押釦スイッチを提供することを目的としている。
【課題を解決するための手段】
【００２４】
本発明に係るスイッチ構造体は、スイッチ駆動部を操作して可動接片を揺動させることにより電気的に開閉作動される固定接点部を有して構成するスイッチ構造であって、前記可動接片の一端側をプリント基板に形成した導電パターン上に取着することによって前記可動接片の他端側を揺動可能に構成すると共に、前記固定接点部は、前記可動接片の他端側に設けた可動接点に対向するように前記導電パターン上に固定接片を介することなく直接設置したことを特徴とするものである。
【００２５】
かかる構成により、固定接点部を直接プリント基板の導電パターン上に設置したことから、従来の固定接片を廃止することができて、スイッチ駆動部の薄型化延いてはこれを使用いて構成する押釦スイッチの薄型化を達成することができ、しかも、固定接点部を導電パターン上に直接設置することから、たとえ金メッキを施したとしてもピンポイントに施せばよいことになり、省金化に寄与することができる。
【００２６】
また、本発明は、前記固定接点部について、原形が球状を呈する接点ボールを超音波等により加締め付けることによって前記導電パターン上に設置するように構成してもよい。
【００２７】
かかる構成により、予め接点ボールに金メッキを施しておけば、プリント基板の導電パターン上には、金メッキされた固定接点部が形成されることになり、省金化を果たすことができる。
【００２８】
また、本発明は、前記導電パターンが前記プリント基板上に互いに離間した状態で形成された一対の分割導電パターンであり、該一対の分割導電パターンに架け渡すように前記固定接点部を設置して構成してもよい。
【００２９】
かかる構成により、固定接点部を形成する接点ボールが、一対の導電パターン間に確実に位置決めされた状態で、加締め付けられて固定接点部を形成することになり、固定接点部の形成位置を正確なものとすることができる。
【００３０】
また、本発明は、前記固定接点部を前記接点ボールを超音波等により加締め付けることによって前記プリント基板上に設置した場合、前記固定接点部により前記プリント基板に固定接点嵌合凹部が形成されるように構成してもよい。
【００３１】
かかる構成により、接点ボールを加締め付けることによって形成された固定接点部が、嵌合凹部内に嵌合することによって、プリント基板上に確実に固定形成されることができる。
【００３２】
また、本発明は、上記するように構成したスイッチ構造を内蔵スイッチとして用いて押釦スイッチとするようにしてもよい。
【００３３】
かかる構成により、固定接片を廃止することによって押釦スイッチの更なる薄型化を果たすことができる。
【発明の効果】
【００３４】
上記のように構成する本発明によれば、固定接点部を直接プリント基板の導電パターン上に設置したことから、従来の固定接片を廃止することができて、スイッチ駆動部の薄型化延いてはこれを使用する押釦スイッチの薄型化を達成することができ、しかも、固定接点部を導電パターン上に直接設置することから、たとえ金メッキを施したとしてもピンポイントに施せばよいことになり、省金化に寄与することができる。
【発明を実施するための最良の形態】
【００３５】
次に、本発明に係る実施の形態について図面を用いて説明する。
【００３６】
図１は本発明に係る実施の形態を採用したスイッチ組立体を描画した斜視図、図２は同じく分解斜視図、図３は同じくスイッチ組立体を構成するプリント基板における固定接点部の周囲を拡大して描画した部分平面図、図４は図３のＡ−Ａ断面図である。なお、従来の構成に対応する部分については同一の符号を用いて説明することとする。また、説明の便宜上、前後方向、左右方向および上下方向を、図２に示すように設定する。
【００３７】
本発明に係る実施の形態におけるスイッチ組立体２は、図１および図２に示すように、略短冊状に形成されたプリント基板１２と、プリント基板１２の略中央部に配設されたスイッチ構造体１３と、照光部（不図示）を照光するためにやはりプリント基板１２にスイッチ構造体１３を取囲むように配設された複数のＬＥＤ１４と、プリント基板１２の前端部に配設されたコネクタ１５とを有して構成している。
【００３８】
スイッチ構造体１３は、プリント基板１２に設置されるスイッチベース体１３Ａと、スイッチベース体１３Ａおよびプリント基板１２との間に挟まれるように一端側がプリント基板１２の可動接点パターン部１６に半田付けにより接続されて他端側が揺動可能となったばね性を有する一対の可動接片１３Ｃと、可動接片１３Ｃの他端側における不図示の可動接点に対向するようにプリント基板１２の一対の固定接点パターン部１２Ａ上にそれぞれ形成された固定接点部１３Ｂ−２とを有して構成されている。
【００３９】
固定接点部１３ｂ−２は、通常状態では、可動接片１３Ｃの可動接点に対して開離した状態で対向している。
【００４０】
そして、固定接点部１７をプリント基板１２の固定接点パターン部１２Ａに形成するには、図５に示すように、予め外周部に金めっき層１７が施した原形球状の接点ボール１７を用意しておき、プリント基板１２の固定接点パターン部１２Ａ上にセットし、例えば、超音波溶接用ポンチ１８を超音波振動させながら、接点ボール１７を圧潰し、固定接点パターン部１２Ａに埋設するように加締めつけることによって行っている（図６参照）。
【００４１】
或いは、図７に示すように、固定接点パターン部１２Ａを、プリント基板１２上において、互いに電気的に非導通状態で形成された一対の分離パターン部１２Ａ−１、１２Ａ−２で構成しておき、分離パターン部１２Ａ−１，１２Ａ−２同士を抵抗溶接用電源部１９に接続して、抵抗溶接用ポンチ２０を分離パターン部１２Ａ−１、１２Ａ−２に導通させることによって、接点ボールを圧潰溶解することにより、固定接点パターン部１２Ａの両分離パターン部１２Ａ−１、１２Ａ−２上を跨ぐ状態で固定接点部１７を形成するようにしてもよい。
【００４２】
なお、スイッチベース体１３Ａの外周部を取り囲むように、ＬＥＤ１４がプリント基板１２上に設置されている。
【００４３】
更に、スイッチベース体１３Ａの前後方向における略中央部には、帯状に突設した帯状突起１３Ｄが形成されており、帯状突起１３Ｄには押動小片１３Ｅを上下動可能に係合保持する孔部１３Ｄ−１が形成されている。
【００４４】
以上説明したように構成するスイッチ組立体２は、押釦スイッチにおける内蔵スイッチとして使用するためには、図示しないが、従来の技術と同様に、押釦スイッチにおける内蔵スイッチに適用するためには、プリント基板１２をベース内に設置して、照光部の押動操作によりスイッチ駆動部を駆動して（いずれも従来技術と同一構成を有するため不図示）、押動小片１３Ｅを下降させ、可動片接片１３Ｃの可動接点部を固定接点部１３Ｂ−２に電気的に導通させて、ＬＥＤ１４を点灯させて、照光部を照光するように構成することができる。
【００４５】
従って、このように本発明のスイッチ組立体２を押釦の内蔵スイッチとして適用する場合、従来とほぼ同一構成のベース、照光部、押釦部、レバー部材等を使用することになる。
【００４６】
かかる構成を有する本発明の実施の形態によれば、固定接点部１３Ｂ−２を直接プリント基板１２の固定接点パターン部１２Ａ（導電パターン）上に設置したことから、従来の固定接片１３Ｂを廃止することができて、スイッチ駆動部３の薄型化を達成することができ、しかも、固定接点部１３Ｂ−２を固定接点パターン部１２Ａ上に設置する場合、原形が球状を呈する接点ボール１７を超音波や抵抗溶接等により加締め付けることによって固定接点パターン部１２Ａ上に設置するように構成することができ、たとえ金メッキを施したとしても接点ボール１７の外周上に金めっき層１７Ａを形成すればよく、従来技術に比較してピンポイントに施せばよいことになり、省金化に寄与することができる。
【００４７】
本発明に係る固定接点部１３Ｂ−２のプリント基板１２上に形成する場合、図８または図９に示すようにしてもよい。
【００４８】
すなわち、図８に示す場合は、プリント基板１２上に形成する固定接点パターン部１２Ａが、互いに離間した状態で形成された一対の分割導電パターン１２Ａ−１、１２Ａ−２によって構成されており、両分割導電パターン１２Ａ−１、１２Ａ−２を架け渡すように固定接点部１３Ｂ−２を設置して構成している。
【００４９】
かかる構成により、固定接点部１３Ｂ−２を形成する前の接点ボール１７が、一対の分割導電パターン１２Ａ−１、１２Ａ−２間に確実に位置決めされた状態で、加締め付けられて固定接点部１３Ｂ−２を形成することになり、固定接点部１３Ｂ−２の形成位置をより正確なものとすることができる。
【００５０】
また、図９に示す本発明の実施の形態においては、固定接点パターン部１２Ａ上に接点ボール１７を加締め付けることによって形成された固定接点部１３Ｂ−２が、接点ボール１７を加締め付ける際にプリント基板１２に嵌合凹部１２Ｂを形成して、一部を嵌合凹部１２Ｂ内に埋設するように嵌合するようにすることができる。
【００５１】
かかる構成により、固定接点部１３Ｂ−２は、その一部が嵌合凹部１２Ｂ内に嵌合埋設することによって、プリント基板１２上に確実に固定形成されることができる。
【産業上の利用可能性】
【００５２】
以上説明したように、本発明は、固定接点部を直接プリント基板の導電パターン上に設置したことから、従来の固定接片を廃止することができて、スイッチ駆動部の薄型化延いてはこれを使用する押釦スイッチの薄型化を達成することができ、しかも、固定接点部を導電パターン上に直接設置することから、たとえ金メッキを施したとしてもピンポイントに施せばよいことになり、省金化に寄与することができるために、エレベータスイッチ等の薄型の押釦スイッチに用いられるスイッチ構造およびこのスイッチ構造を用いた押釦スイッチ等に好適であるといえる。
【図面の簡単な説明】
【００５３】
【図１】本発明に係る実施の形態を採用したスイッチ組立体を描画した斜視図である。
【図２】同じく分解斜視図である。
【図３】同じくスイッチ組立体を構成するプリント基板における固定接点部の周囲を拡大して描画した部分平面図である。
【図４】図３のＡ−Ａ断面図である。
【図５】同じくプリント基板上に固定接点部を形成すべく、接点ボールを導電パターン状にセットした状態を示す説明図である。
【図６】図５に示す状態から超音波溶接によってプリント基板上に固定接点部を形成する場合の説明図である。
【図７】図５に示す状態から抵抗溶接によってプリント基板上に固定接点部を形成する場合の説明図である。
【図８】本発明に係る他の実施の形態によるプリント基板における固定接点部の周囲を拡大して描画した部分平面図である。
【図９】本発明に係る更に他の実施の形態によるプリント基板における固定接点部の周囲を拡大して描画した図４と同様の断面図である。
【図１０】従来における押釦スイッチを描画した分解斜視図である。
【図１１】図１０におけるスイッチ組立体の斜視図である。
【図１２】同じく、スイッチ組立体の分解斜視図である。
【図１３】同じく、固定接点を作成するための板状素材の斜視図である。
【符号の説明】
【００５４】
２    スイッチ組立体
１２    プリント基板
１２Ａ  固定接点パターン部（導体パターン）
１２Ｂ  嵌合凹部
１３    スイッチ構造体
１３Ｂ−２  固定接点部
１３Ｃ  可動接片
１７    接点ボール
【図１】
2009059661.tif 000003
【図２】
2009059661.tif 000004
【図３】
2009059661.tif 000005
【図４】
2009059661.tif 000006
【図５】
2009059661.tif 000007
【図６】
2009059661.tif 000008
【図７】
2009059661.tif 000009
【図８】
2009059661.tif 000010
【図９】
2009059661.tif 000011
【図１０】
2009059661.tif 000012
【図１１】
2009059661.tif 000013
【図１２】
2009059661.tif 000014
【図１３】
2009059661.tif 000015